(57)【特許請求の範囲】
【請求項１】
弾性を有するとともに板状であって爪の表側に貼り付けられる固着部と、
一端が爪の表側に当接可能であって前記固着部に一体に連結する表側板状部、該表側板状部に対向して設けられ一端が爪と皮膚との間に差し込まれる裏側板状部、及び該表側板状部の他端と該裏側板状部の他端とに一体に連結する湾曲部を有する操作部と、を備え、
前記操作部は、前記固着部が爪に貼り付けられるにあたって、前記表側板状部と前記裏側板状部で爪を挟持して皮膚から爪を離間させることが可能であって、該固着部が爪に貼り付けられた後は、該固着部から除去されるものである爪矯正具。
【請求項２】
前記固着部は、爪の先端から根元に向かって延在する縦部と、該縦部に一体に連結するとともに爪の幅方向に沿って延在する横部とを備え、
前記表側板状部は、前記縦部に沿って延在する請求項１に記載の爪矯正具。
【請求項３】
前記横部を複数備える請求項２に記載の爪矯正具。
【発明の詳細な説明】
【技術分野】
【０００１】
本発明は、陥入爪や巻き爪といった、爪の変形を矯正するために用いられる爪矯正具に関する。
【背景技術】
【０００２】
例えばハイヒールなどの幅の狭い靴を履き続けていると、爪の側縁が足指の皮膚に食い込んで炎症を起こす陥入爪や、通常よりも爪が曲がった状態になる巻き爪といった疾患を引き起こすことがある。
【０００３】
このような陥入爪や巻き爪といった、爪の変形を矯正するための爪矯正具としては、例えば特許文献１に示されているようなものが知られている。特許文献１の爪矯正具は、板状体と、この板状体に間隔を隔てて設けられる挟持部とを備え、板状体と挟持部で爪を挟持した状態で維持することによって、湾曲した爪を平坦な状態に矯正しようとするものである。
【０００４】
また特許文献２には、弾性を有する小片を爪の表側に貼り付け、その弾性力でもって爪を矯正しようとする爪矯正具が開示されている。なお特許文献２の爪矯正具は、概略、特許文献１の挟持部を省略した形態をなしている。
【先行技術文献】
【特許文献】
【０００５】
【特許文献１】特開２００７−１８５２０３号公報
【特許文献２】特開２００１−３７５３５号公報
【発明の概要】
【発明が解決しようとする課題】
【０００６】
ところで特許文献１の爪矯正具は、爪と爪の裏側の皮膚との間に挟持部が常時差し込まれた状態になるものである。このため、挟持部が皮膚に当たることによって違和感を伴ったり、痛みを感じたりすることがある。これに対し、特許文献２の爪矯正具は挟持部を持たないため、このような違和感や痛みが生じることはない。しかし、爪が湾曲したままの状態で貼り付けても矯正効果は薄いため、別の器具を用いて爪を皮膚から離間させて爪を平坦な状態に近づけたうえで、爪矯正具を貼り付ける必要がある。すなわち、施術には別の器具が必要になるうえ、この器具と爪矯正具を途中で持ち替えなければならないために施術が行い難いという問題がある。
【０００７】
本発明は、このような問題点を解決することを課題とするものであり、従来の挟持部の如き爪と皮膚との間に常時差し込まれる部位がなく、また、施術も行いやすいうえ高い矯正効果を発揮することができる新たな爪矯正具を提供することを目的とする。
【課題を解決するための手段】
【０００８】
本発明は、弾性を有するとともに板状であって爪の表側に貼り付けられる固着部と、
一端が爪の表側に当接可能であって前記固着部に一体に連結する表側板状部、該表側板状部に対向して設けられ一端が爪と皮膚との間に差し込まれる裏側板状部、及び該表側板状部の他端と該裏側板状部の他端とに一体に連結する湾曲部を有する操作部と、を備え、
前記操作部は、前記固着部が爪に貼り付けられるにあたって、前記表側板状部と前記裏側板状部で爪を挟持して皮膚から爪を離間させることが可能であって、該固着部が爪に貼り付けられた後は、該固着部から除去されるものである爪矯正具である。
【０００９】
前記固着部は、爪の先端から根元に向かって延在する縦部と、該縦部に一体に連結するとともに爪の幅方向に沿って延在する横部とを備え、
前記表側板状部は、前記縦部に沿って延在することが好ましい。
【００１０】
そして前記横部を複数備えることが好ましい。
【発明の効果】
【００１１】
本発明の爪矯正具は、爪の表側に貼り付けられる固着部に、表側板状部、裏側板状部、及び弾性部を有するピンセットの如き操作部が一体に連結していて、この操作部で爪を挟持することによって皮膚から爪を離間させた状態にして、固着部を爪に貼り付けることができる。このため、爪を平坦な状態にしておくための別の器具は不要であり、また途中で別の器具に持ち替える必要がないため施術も行いやすく、更には爪を平坦な状態にして固着部を貼り付けることができるので高い矯正効果を得ることができる。また操作部は、施術後は固着部から除去されるものであるため、従来の爪矯正具で生じていた違和感や痛みを伴うことがない。
【００１２】
固着部に、爪の先端から根元に向かって延在する縦部と、この縦部に一体に連結するとともに爪の幅方向に沿って延在する横部とを設ける場合は、操作部で爪を挟持することができる状態にして縦部を爪に貼り付け、その後、操作部で爪を挟持して皮膚から離間させ、しかる後に横部を爪に貼り付けるという順で施術を行うことができる。すなわち、施術の仕方が分かりやすく、また高い矯正効果を発揮することができる状態で施術を確実に行うことができる。更に、表側板状部が縦部に沿って延在する場合は、操作部が爪に正対した状態になり、施術者は自然な姿勢で処置することができるため、施術が行いやすくなる。
【００１３】
更に、前述の横部を複数設ける場合は、爪を平坦な状態に維持できる部位が増えることから、より高い矯正効果を得ることができる。
【図面の簡単な説明】
【００１４】
【図１】本発明に従う爪矯正具の第一実施形態を示す図であって、（ａ）は平面図であり、（ｂ）は側面図であり、（ｃ）は変形例を示した側面図である。
【図２】図１に示す爪矯正具用いて爪を矯正する手順を説明する図であって、（ａ）は患者の足の親指を示す平面図と正面図であり、（ｂ）は爪矯正具の縦部と横部をカットする状況を示す平面図であり、（ｃ）は爪に縦部を貼り付けた状態を示す平面図と正面図であり、（ｄ）は爪を親指から離間させて横部を貼り付けた状態を示す平面図と正面図であり、（ｅ）は操作部を除去した状態を示す平面図と正面図である。
【図３】本発明に従う爪矯正具の第二実施形態を示す図であって、（ａ）は平面図であり、（ｂ）は側面図である。
【図４】本発明に従う爪矯正具の第三実施形態を示す図であって、（ａ）は、施術者から見て爪の左側を特に矯正する場合の平面図であり、（ｂ）は（ａ）の側面図であり、（ｃ）は施術者から見て爪の右側を特に矯正する場合の平面図であり、（ｄ）は（ｃ）の側面図である。
【図５】本発明に従う爪矯正具の第四実施形態を示す図であって、（ａ）は平面図であり、（ｂ）は正面図である。
【発明を実施するための形態】
【００１５】
以下、図面を参照しながら本発明に従う爪矯正具の一実施形態について説明する。ここで、図１（ａ）、（ｂ）における符号１Ａは、本発明に従う爪矯正具の一実施形態を示す。爪矯正具１Ａは、概略、固着部２と操作部３とで構成されている。また図２（ａ）は、爪矯正具１Ａによって矯正される患者の足の親指を示す図であって、符号１０は親指を示し、符号１１は親指の爪を示す。
【００１６】
固着部２は、弾性を有する材料を用いて板状に形成され、矯正を行う爪の表側に貼り付けられるものである。このような材料としては、例えばＡＢＳ樹脂（アクリロニトリル、ブタジエン、スチレン共重合合成樹脂）やＰＭＭＡ樹脂（アクリル樹脂）などの如き合成樹脂を挙げることができる。なお、材料として合成樹脂を用いる場合は、施術中の状況を確認しやすくすること、また施術後は爪に貼り付けられた状態になるために見映えを考慮すべきであることから、無色透明のものを用いることが好ましい。また板厚は、合成樹脂であれば例えば０．５ｍｍ〜１．５ｍｍ程度のものが使用される。なお本実施形態では、板状になる無色透明のＡＢＳ樹脂を使用していて、その板厚は０．８ｍｍ〜０．９ｍｍである。
【００１７】
本実施形態の固着部２は、図１（ａ）、図２（ｂ）に示すように、爪１１の先端（親指１０の指先側）から根元（親指１０の付け根側）に向かって延在する縦長矩形状の縦部２ａと、縦部２ａに一体に連結するとともに爪１１の幅方向に沿って延在する横長矩形状の横部２ｂとを備えている。本実施形態の固着部２は、施術者から見て爪１１の左側（患者にとって爪１１の右側）を特に矯正するものであって、施術者から見て横部２ｂは、縦部２ａから右側に向かって延在している。なお、施術者から見て爪１１の右側を特に矯正する場合には、横部２ｂが縦部２ａから左側に向かって延在するようにすればよい。また本実施形態では、２つの横部２ｂを間隔をあけて設けている。また縦部２ａは、横部２ｂよりも幅が大きくなるようにしている。
【００１８】
操作部３は、一端３ａ１と他端３ａ２とを有し、一端３ａ１が固着部２の縦部２ａに一体に連結する縦長矩形状の表側板状部３ａと、一端３ｂ１と他端３ｂ２とを有し、表側板状部３ａに対向して設けられる縦長矩形状の裏側板状部３ｂと、表側板状部３ａの他端３ａ２と裏側板状部３ｂの他端３ｂ２とに一体に連結する湾曲部３ｃとを有している。なお、爪矯正具１Ａを爪１１に貼り付けるにあたり、表側板状部３ａの一端３ａ１は爪１１の表側に当接するものであり、裏側板状部３ｂの一端３ｂ１は爪１１と親指１０との間に差し込まれるものである。また湾曲部３ｃは、例えば図１（ｂ）に示すように概略コ字状に形成されるものでもよいし、図１（ｃ）に示すように円弧状に形成されるものでもよい。なお操作部３は、固着部２と同じ材料、同じ板厚で形成されている。
【００１９】
次に、図２を参照しながら爪矯正具１Ａを用いて患者の爪１１を矯正する方法について説明する。まず操作部３を、表側板状部３ａの一端３ａ１と裏側板状部３ｂの一端３ｂ１で爪１１を挟持できる位置にセットし、図２（ｂ）に示すように、爪１１の大きさに合わせて縦部２ａと横部２ｂをカットする。なお２つの横部２ｂのうち、爪１１の根元に近いものは、爪１１の先端だけでなく根元に近い部分も矯正するために設けている。このため、爪１１の先端だけの矯正ですむ場合は、根元側の横部２ｂを全てカットしてもよい。
【００２０】
次に、縦部２ａの裏側に（爪１１の表側でもよい）接着剤を塗布して、縦部２ａを爪１１の表側に貼り付ける（図２（ｃ）参照）。接着剤としては、１液タイプや２液タイプなど種々のものを用いることができる。また接着剤に含まれる成分としては、例えばシアノアクリル酸エチルとポリメタクリル酸メチルが挙げられる。
【００２１】
その後、表側板状部３ａの一端３ａ１と裏側板状部３ｂの一端３ｂ１で爪１１を挟持し、操作部３をひねるようにして爪１１を親指１０から離間させる（図２（ｃ）の正面図を参照）。ここで、爪１１を親指１０から離間させる前、或いはその後において、横部２ｂの裏側（爪１１の表側でもよい）には接着剤を塗布する。そして、平坦な状態に近づいた爪１１に対して横部２ｂを貼り付ける（図２（ｄ）参照）。
【００２２】
しかる後は、縦部２ａから表側板状部３ａをカットして、操作部３を固着部２から除去する（図２（ｅ）参照）。そして、貼り付けた縦部２ａや横部２ｂの端縁を削って引っかかりが無いように整え、必要に応じて爪１１の表面にジェルを塗布する等の仕上げを行って施術が完了する。
【００２３】
このように本実施形態の爪矯正具１Ａでは、爪１１は操作部３で平坦な状態に近づけられ、そこに横部２ｂが貼り付けられるため、高い矯正効果を得ることができる。なお操作部３で親指１０から離間させた側の爪１１（施術者から見て左側）は、特に高い効果で矯正されるが、横部２ｂは弾性を有するため、横部２ｂを反対側（施術者から見て右側）まで延在させた状態にすることで、右側の爪１１も矯正することができる。
【００２４】
なお、本発明に従う爪矯正具はこれまでに述べた実施形態に限定されるものではなく、特許請求の範囲に従う限りにおいて種々の変更を加えたものも含まれる。
【００２５】
例えば図３（ａ）、（ｂ）に示す爪矯正具１Ｂは、前述の爪矯正具１Ａに対して、施術者から見て左側に延在する横部２ｂを追加したものである。このような爪矯正具１Ｂによれば、不要な側の横部２ｂをカットすることで、爪１１の左右を問わずに使用することができる。
【００２６】
また、図４（ａ）〜（ｄ）に示す爪矯正具１Ｃは、操作部３が初期の段階で平坦な状態になっていて、施術前に湾曲させるものである。具体的には、施術者から見て爪１１の左側を矯正する場合は、平面視で図４（ａ）になる向きにするとともに、操作部３を図４（ｂ）に破線で示すように湾曲させて使用する。一方、施術者から見て爪１１の右側を矯正する場合は、図４（ｃ）のように爪矯正具１Ｃを裏返しにして、操作部３を図４（ｄ）に破線で示すように湾曲させて使用する。このような形態であれば、爪１１の左右何れでも優先的に矯正することができる。
【００２７】
また、施術の行いやすさを考慮すると、操作部３が爪１１に正対した状態になる爪矯正具１Ａ〜１Ｃが好ましいものの、図５（ａ）、（ｂ）に示す爪矯正具１Ｄのように、表側板状部３ａが横向きに延在して操作部３が爪１１の側方に位置するものであってもよい。
【符号の説明】
【００２８】
１Ａ〜１Ｄ：爪矯正具
２：固着部
２ａ：縦部
２ｂ：横部
３：操作部
３ａ：表側板状部
３ａ１：表側板状部の一端
３ａ２：表側板状部の他端
３ｂ：裏側板状部
３ｂ１：裏側板状部の一端
３ｂ２：裏側板状部の他端
３ｃ：湾曲部
１０：親指
１１：爪
【要約】
【課題】爪と皮膚との間に常時差し込まれる部位がなく、また、施術も行いやすいうえ高い矯正効果を発揮することができる爪矯正具を提案する。
【解決手段】本発明の爪矯正具１Ａは、弾性を有するとともに板状であって爪１１の表側に貼り付けられる固着部２と、一端３ａ１が爪１１の表側に当接可能であって固着部２に一体に連結する表側板状部３ａ、表側板状部３ａに対向して設けられ一端３ｂ１が爪１１と皮膚との間に差し込まれる裏側板状部３ｂ、及び表側板状部３ａの他端３ａ２と裏側板状部３ｂの他端３ｂ２とに一体に連結する湾曲部３ｃを有する操作部３と、を備え、操作部３は、固着部２が爪１１に貼り付けられるにあたって、表側板状部３ａと裏側板状部３ｂで爪１１を挟持して皮膚から爪１１を離間させることが可能であって、固着部２が爪１１に貼り付けられた後は、固着部２から除去されるものである。
【選択図】図１【図１】
0006044011.tif 000002
【図２】
0006044011.tif 000003
【図３】
0006044011.tif 000004
【図４】
0006044011.tif 000005
【図５】
0006044011.tif 000006